【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】光ビームを射出する光源と、
前記光源より射出された光ビームを光記録媒体あるいは光磁気記録媒体へ導く往路光学系と、
前記記録媒体で反射された光を光検出器に導くための復路光学系と、
前記光源、前記光検出器、前記往路光学系および復路光学系の構成部品を搭載する光学ベースとを有している光学式ヘッドであって、  前記往路光学系と前記復路光学系を分離するビームスプリッタによって前記往路光学系が折り曲げられる構成であり、
前記光学ベース上のビームスプリッタ取付け部は、ビームスプリッタを回動または回動を伴う移動あるいは回動と移動とにより位置調整して固定する構造を有する
ことを特徴とする光学式ヘッド。
【請求項２】第1の光ビームを射出する第1の光源と、  前記第1の光源より射出された第1の光ビームを第1の光記録媒体あるいは第1の光磁気記録媒体に導き、該第1の記録媒体で反射された光を第1の光検出器に導く第１の光学系と、
第２の光ビームを射出する第２の光源と、  前記第２の光源より射出された第２の光ビームを第２の光記録媒体あるいは第２の光磁気記録媒体に導き、該第２の記録媒体で反射された光を光検出器に導く第２の光学系と、
前記第１の光学系、第２の光学系の構成部品を搭載する光学ベースとを有している光学式ヘッドであって、  前記第１の光学系と前記第２の光学系を結合または分離するビームスプリッタによって前記第１の光学系が折り曲げられる構成であり、
前記光学ベース上のビームスプリッタ取付け部は、ビームスプリッタを回動または回動を伴う移動あるいは回動と移動とにより位置調整して固定する構造を有する
ことを特徴とする光学式ヘッド。
【請求項３】請求項１または２の光学式ヘッドにおいて、
前記位置調整により、前記光学系において前記記録媒体に対向して配置される対物レンズの絞りまたはその近傍における、前記光ビームの強度中心と前記光学系の光軸との情報記録トラックに沿った方向に直交する方向のずれが補正されている
ことを特徴とする光学式ヘッド。
【請求項４】請求項１から３までのいずれかの光学式ヘッドにおいて、
前記ビームスプリッタの位置調整が、ビームスプリッタの外部を中心とする回動によりなされる構成を有し、
前記回動の中心が、ビームスプリッタにおける光ビームの光軸部の反射点に対して光源の反対側に位置し、
かつ、前記回動中心と光源との間の距離と、光源と前記反射点との間の距離をほぼ等しくした
ことを特徴とする光学式ヘッド。
【請求項５】請求項１から４までのいずれかの光学式ヘッドにおいて、
前記ビームスプリッタがホルダを介して光学ベースに取付けられる構造を有し、
前記ホルダの光学ベースに対する位置調整構造またはホルダに対するビームスプリッタの位置調整構造の少なくともいずれかにより、ビームスプリッタの光学ベースに対する位置調整がなされる
ことを特徴とする光学式ヘッド。
【請求項６】光ビームを射出する光源と、
前記光源より射出された光ビームを光記録媒体あるいは光磁気記録媒体へ導く往路光学系と、
前記記録媒体で反射された光を光検出器に導くための復路光学系と、
前記光源、前記光検出器、前記往路光学系および復路光学系の構成部品を搭載する光学ベースとを有すると共に、前記往路光学系と前記復路光学系を分離するビームスプリッタによって前記往路光学系が折り曲げられる構成を有する光学式ヘッドの調整方法であって、 前記光学ベース上のビームスプリッタを回動または回動を伴う移動あるいは回動と移動とにより位置調整し、もって前記ビームスプリッタの反射光の強度中心と、設計上設定された理想的な光軸とを一致させる
ことを特徴とする光学式ヘッドの調整方法。
【請求項７】第1の光ビームを射出する第1の光源と、 前記第1の光源より射出された第1の光ビームを第1の光記録媒体あるいは第1の光磁気記録媒体に導き、該第1の記録媒体で反射された光を第1の光検出器に導く第１の光学系と、
第２の光ビームを射出する第２の光源と、 前記第２の光源より射出された第２の光ビームを第２の光記録媒体あるいは第２の光磁気記録媒体に導き、該第２の記録媒体で反射された光を光検出器に導く第２の光学系と、
前記第１の光学系、第２の光学系の構成部品を搭載する光学ベースとを有すると共に、前記第１の光学系と前記第２の光学系を結合または分離するビームスプリッタによって前記第１の光学系が折り曲げられる構成を有する光学式ヘッドの調整方法であって、 前記光学ベース上のビームスプリッタを回動または回動を伴う移動あるいは回動と移動とにより位置調整し、もって前記ビームスプリッタの反射光の強度中心と、設計上設定された理想的な光軸とを一致させる
ことを特徴とする光学式ヘッドの調整方法。
【請求項８】請求項１、２、３、５のいずれかの光学式ヘッドの調整方法であって、
ビームスプリッタによって折り曲げられる光ビームが発散光であり、
前記ビームスプリッタを回動することによって、前記発散光の強度中心の射出角度を、設計上設定された理想的な光軸の射出角度に揃えた後に、
前記ビームスプリッタで光学系が曲げられる光ビームを射出する光源を、光軸と垂直な面内で移動調整することによって、前記発散光の強度中心と、設計上設定された理想的な光軸とを一致させる
ことを特徴とする光学式ヘッドの調整方法。
【請求項９】請求項１、２、３、５のいずれかの光学式ヘッドの調整方法であって、
ビームスプリッタによって折り曲げられる光ビームが発散光であり、
前記ビームスプリッタを回動することによって、前記発散光の強度中心の射出角度を、設計上設定された理想的な光軸の射出角度に揃えた後に、
前記ビームスプリッタをその反射面と平行をなす方向以外の方向に移動することにより、前記ビームスプリッタの反射光の強度中心と、設計上設定された理想的な光軸とを一致させる
ことを特徴とする光学式ヘッドの調整方法。
【請求項１０】請求項１から５までのいずれかに記載された光学式ヘッドを備える
ことを特徴とする光記録再生装置。
【手続補正２】
【補正対象書類名】明細書
【補正対象項目名】００３１
【補正方法】変更
【補正の内容】
【００３１】
請求項６の光学式ヘッドの調整方法は、光ビームを射出する光源と、
前記光源より射出された光ビームを光記録媒体あるいは光磁気記録媒体へ導く往路光学系と、
前記記録媒体で反射された光を光検出器に導くための復路光学系と、
前記光源、前記光検出器、前記往路光学系および復路光学系の構成部品を搭載する光学ベースとを有すると共に、前記往路光学系と前記復路光学系を分離するビームスプリッタによって前記往路光学系が折り曲げられる構成を有する光学式ヘッドの調整方法であって、 前記光学ベース上のビームスプリッタを回動または回動を伴う移動あるいは回動と移動とにより位置調整し、もって前記ビームスプリッタの反射光の強度中心と、設計上設定された理想的な光軸とを一致させる
ことを特徴とする。
請求項７の光学式ヘッドの調整方法は、第1の光ビームを射出する第1の光源と、 前記第1の光源より射出された第1の光ビームを第1の光記録媒体あるいは第1の光磁気記録媒体に導き、該第1の記録媒体で反射された光を第1の光検出器に導く第１の光学系と、
第２の光ビームを射出する第２の光源と、 前記第２の光源より射出された第２の光ビームを第２の光記録媒体あるいは第２の光磁気記録媒体に導き、該第２の記録媒体で反射された光を光検出器に導く第２の光学系と、
前記第１の光学系、第２の光学系の構成部品を搭載する光学ベースとを有すると共に、前記第１の光学系と前記第２の光学系を結合または分離するビームスプリッタによって前記第１の光学系が折り曲げられる構成を有する光学式ヘッドの調整方法であって、 前記光学ベース上のビームスプリッタを回動または回動を伴う移動あるいは回動と移動とにより位置調整し、もって前記ビームスプリッタの反射光の強度中心と、設計上設定された理想的な光軸とを一致させる
ことを特徴とする。
請求項８の光学式ヘッドの調整方法は、請求項１、２、３、５のいずれかの光学式ヘッドの調整方法であって、
ビームスプリッタによって折り曲げられる光ビームが発散光であり、
前記ビームスプリッタを回動することによって、前記発散光の強度中心の射出角度を、設計上設定された理想的な光軸の射出角度に揃えた後に、
前記ビームスプリッタで光学系が曲げられる光ビームを射出する光源を、光軸と垂直な面内で移動調整することによって、前記発散光の強度中心と、設計上設定された理想的な光軸とを一致させる
ことを特徴とする。
【手続補正３】
【補正対象書類名】明細書
【補正対象項目名】００３３
【補正方法】変更
【補正の内容】
【００３３】
請求項９の光学式ヘッドの調整方法は、請求項１、２、３、５のいずれかの光学式ヘッドの調整方法であって、
ビームスプリッタによって折り曲げられる光ビームが発散光であり、
前記ビームスプリッタを回動することによって、前記発散光の強度中心の射出角度を、設計上設定された理想的な光軸の射出角度に揃えた後に、
前記ビームスプリッタをその反射面と平行をなす方向以外の方向に移動することにより、前記ビームスプリッタの反射光の強度中心と、設計上設定された理想的な光軸とを一致させる
ことを特徴とする。
【手続補正４】
【補正対象書類名】明細書
【補正対象項目名】００３５
【補正方法】変更
【補正の内容】
【００３５】
請求項１０の光記録再生装置は、請求項１から５までのいずれかに記載された光学式ヘッドを備える
ことを特徴とする。